(57)【要約】      （修正有）【課題】決められた期間をディスプレイするための装置の駆動を可能にする駆動装置を提供する。【解決手段】駆動装置１００、とりわけ時計カレンダーシステム２００用の駆動装置であって、駆動装置は、被駆動要素、とりわけカレンダー要素を駆動するための駆動モバイル１０を含み、駆動モバイルは、軸Ａ１周りに回転可能に搭載されることが意図され、ａ．サポート１１、ｂ．被駆動要素を駆動するための第１側面、及びｃ．駆動モバイルを後退させる作用を受けるように配置された、とりわけ軸Ａ１に対して正放線状または実質的に正放線状に延長する、第２側面を含み、モバイルは、第２側面をサポートへ接続するスライドリンク１１１、１２１；１１を含む、駆動装置。【選択図】図１
2019090796.tif 000002
【特許請求の範囲】
【請求項１】
駆動装置（１００）、とりわけ時計カレンダーシステム（２００）用の駆動装置であって、前記駆動装置は、被駆動要素（４）、とりわけカレンダー要素を駆動するための駆動モバイル（１０）を含み、前記駆動モバイルは、軸（Ａ１）周りに回転可能に搭載されることが意図され、
サポート（１１）、
前記被駆動要素を駆動するための第１側面（ｆ１１）、及び
前記駆動モバイルを後退させる作用を受けるように配置された、とりわけ前記軸（Ａ１）に対して正放線状または実質的に正放線状に延長する、第２側面（ｆ１２’）
を含み、
前記モバイルは、前記第２側面を前記サポートへ接続するスライドリンク（１１１、１２１；１１、１２０；１１０、１２０’）を含む、駆動装置。
【請求項２】
前記第２側面は前記第１側面に連結される、請求項１に記載の装置。
【請求項３】
前記モバイルは、前記第２側面を静止位置へ向かって戻す弾性戻し要素（１２ｃ）を含む、請求項１または２に記載の装置。
【請求項４】
前記弾性戻し要素（１２ｃ）は、ばねを、とりわけ開放環の形状のばね及びまたは第１端部に前記第２側面を有し第２端部に前記サポートへの連結を有するばねを含む、請求項３に記載の装置。
【請求項５】
前記スライドリンクは、前記第２側面を有する要素上に生成されるピン（１２０’）と、前記サポート上に生成されるスロット（１１０）を含む、または前記スライドリンクは、前記第２側面を有する要素上に生成されるスロット（１２０）と、前記サポート上に生成されるピン（１１）とを含む、請求項１から４のいずれか一項に記載の装置。
【請求項６】
前記スライドリンクは、前記第２側面を有する要素（１２ａ）上に生成される第１面（１２１）と、前記サポート上に生成される第２面（１１１）とを含む、請求項１から５のいずれか一項に記載の装置。
【請求項７】
前記第１側面は平面または実質的に平面または湾曲した第１表面を示す、及びまたは前記第２側面は平面または実質的に平面または湾曲した第２表面を示す、請求項１から６のいずれか一項に記載の装置。
【請求項８】
前記第１側面は、前記軸（Ａ１）に対して半径方向にまたは実質的に半径方向に延長する、請求項１から７のいずれか一項に記載の装置。
【請求項９】
前記第２側面は、前記モバイルの後退側面である、請求項１から８のいずれか一項に記載の装置。
【請求項１０】
前記モバイルは、被駆動要素（４）を制動するための第３側面（ｆ１２）を、とりわけ前記軸（Ａ１）に対して半径方向または実質的に半径方向に延長する第３側面（ｆ１２）を含む、請求項１から９のいずれか一項に記載の装置。
【請求項１１】
前記第１側面は、前記サポートに対して前記軸周りに角度的に固定または実質的に固定される、及びまたは前記第３側面は、前記サポートに対して前記軸（Ａ１）周りに角度的に固定または実質的に固定される、請求項１から１０のいずれか一項に記載の装置。
【請求項１２】
前記サポートは、カレンダーカム（２）に固定される、請求項１から１１のいずれか一項に記載の装置。
【請求項１３】
請求項１から１２のいずれか一項に記載の駆動装置と、被駆動要素、とりわけカレンダーインジケーターモバイル、特に月の日にちを表示するディスクとを含む、時計カレンダーシステム（２００）。
【請求項１４】
請求項１から１２のいずれか一項に記載の装置、及びまたは請求項１３に記載のシステムを含む、時計ムーブメント（３００）。
【請求項１５】
請求項１から１２のいずれか一項に記載の装置及びまたは請求項１３に記載のシステム及びまたは請求項１４に記載のムーブメントを含む、時計（４００）、とりわけ腕時計。
【発明の詳細な説明】
【技術分野】
【０００１】
本発明は、とりわけ時計カレンダーシステム用の、駆動装置に関する。本発明はまた、当該装置を含む、時計カレンダーシステムに関する。本発明は更に、当該システムまたは当該装置を含む、時計に関する。
【０００２】
特に、駆動装置は、決められた期間をディスプレイするための装置の駆動を可能にする。本発明はまた、瞬時ジャンプカレンダーシステム用の駆動モバイルに関する。
【背景技術】
【０００３】
従来技術から駆動機構が既知である。駆動機構には、一般的に、適切な装置によってあらかじめ蓄積されたエネルギーの瞬間的な復帰の影響により、カレンダーインジケーターのディスプレイ部材の歯列を駆動するよう設計された駆動部材が設けられる。
【０００４】
駆動部材は、例えば特許文献１の図１１に示すような、堅固な爪の形状を取ることもある。しかしながら、このような爪は、当該爪がカレンダーディスクの歯列内に位置されると、カレンダーの補助修正機構を妨害するリスクがある。このため、時計の調節中にカレンダーが破損するリスクがある。
【０００５】
駆動部材は、例えば特許文献２に示すような、弾性爪の形状を取ってもよい。当該爪は、一方ではカレンダーディスクを瞬時に駆動し、他方では日付ジャンプがなされた後カレンダーディスクを停止させるように、成形される。この目的は、二重日付ジャンプのリスクを排除することである。このため、当該爪はカレンダーディスクの歯列の歯に対してぶつかる止め具としても作用する。とりわけ年間または万年カレンダーの場合においてカレンダー駆動モバイルが蓄積したエネルギーは、日付ジャンプがなされた後のカレンダーディスクの影響により弾性駆動爪が後退するリスクを有する可能性がある。
【０００６】
特許文献３は、弾性駆動部材が設けられた駆動モバイルを開示する。弾性駆動部材は、カレンダー歯車に組み込まれたばねの形状を取り、その一端は駆動爪の形状を取る。ばねは、カレンダーディスク上の歯の影響により、爪が停止表面に当接するまで徐々に張力が与えられ、これにより日付ジャンプが起こる。当該モバイルは、ばねに徐々に張力を与え、つまり日付ジャンプ前にカレンダーディスクにわずかな角度的オフセットが存在することから、完全に瞬時の日付ジャンプを可能としない。更に、日付ジャンプが行われた後、カレンダーディスクの影響により爪が後退する危険性がある。このため、二重日付ジャンプの危険性が残る。この構成において、ばねの一体部分として形成された爪と停止表面との間の接触は、カム駆動モバイルへ代替的なカレンダー駆動モバイルを提供することを目的として、点接触である。
【０００７】
特許文献４は、特許文献３の駆動モバイルと類似の駆動モバイルに関する。特許文献４には、歯車に組み込まれたばねの一体部分として形成された駆動爪が開示される。爪の一側面は、日付ジャンプを引き起こすため、止め具に対して点接触することができる。当該文献は、更に具体的には、爪がカレンダー星車の歯列内に位置するときに、カレンダーの迅速な調節を可能とするために、爪の寸法を最適化することに関する。
【０００８】
特許文献５は、ピボットと、戻しばねと、駆動爪が設けられ、三者が３つの異なる高さにある、旋回駆動部材が設けられたカム駆動モバイルを開示する。当該モバイルは、カレンダーディスクの駆動と停止の機能を果たし、同時に常時カレンダーの迅速な調節を、時計回りと反時計回り方向の両方で可能にするが、駆動部材の各種機能を割り当てるために著しく大きい空間を必要とする。
【先行技術文献】
【特許文献】
【０００９】
【特許文献１】欧州特許出願公開第２０１５１４６号明細書
【特許文献２】欧州特許出願公開第３１７３８７８号明細書
【特許文献３】仏国特許出願公開第１４６７７２６号明細書
【特許文献４】スイス国特許出願公開第７１１８５１号明細書
【特許文献５】欧州特許出願公開第２４２８８５５号明細書
【発明の概要】
【発明が解決しようとする課題】
【００１０】
本発明の目的は、前述の欠点を克服し、従来から既知の装置を改善可能な、カレンダーシステムの駆動装置を提供することである。具体的には、本発明は、カレンダーシステム用の小型の駆動装置及びまたは引例から既知のシステムと比較して信頼性や頑健性が改善された装置を提案する。
【課題を解決するための手段】
【００１１】
本発明にかかる駆動装置は、請求項１に規定される。
【００１２】
装置の各種実施形態は、請求項２から１２に規定される。
【００１３】
本発明にかかるカレンダーシステムは、請求項１３に規定される。
【００１４】
本発明にかかる時計ムーブメントは、請求項１４に定義される。
【００１５】
本発明にかかる時計は、請求項１５に定義される。
【００１６】
添付の図面は、例として、本発明にかかる時計の２つの実施形態を示す。
【図面の簡単な説明】
【００１７】
【図１】図１は、時計の第１実施形態の概略図である。
【図２】図２は、時計の第１実施形態の概略図である。
【図３】図３は、駆動装置の第１実施形態の断面図である。
【図４】図４は、駆動装置の第１実施形態の動作を示す図である。
【図５】図５は、駆動装置の第１実施形態の動作を示す図である。
【図６】図６は、駆動装置の第１実施形態の動作を示す図である。
【図７】図７は、駆動装置の第１実施形態の動作を示す図である。
【図８】図８は、駆動装置の第１実施形態の動作を示す図である。
【図９】図９は、駆動装置の第１実施形態の動作を示す図である。
【図１０】図１０は、時計の第２実施形態の第１代替形態の概略図である。
【図１１】図１１は、時計の第２実施形態の第２代替形態の概略図である。
【図１２】図１２は、第２実施形態の第２代替形態の詳細図である。
【発明を実施するための形態】
【００１８】
時計４００の第１実施形態を、図１から９を参照して以下に説明する。時計は、例えば小型時計であり、特に腕時計である。時計は、時計ムーブメント３００を含む。時計ムーブメントは、機械式ムーブメントまたは電子式ムーブメントであってもよい。ムーブメントは、時計カレンダーシステム２００を含む。カレンダーシステムは、とりわけ曜日に関する情報及びまたは月の日にちに関する情報及びまたは月に関する情報及びまたは年に関する情報及びまたはうるう年に関する情報及びまたは月の位相に関する情報といった、少なくとも１つのカレンダー情報を表示することを可能にする。このため、カレンダーシステムは、複数の情報タイプの中から表示されるべき情報を表示したディスク、とりわけカレンダーディスクといった、被駆動要素４を含む。
【００１９】
カレンダーシステムは、駆動装置１００を含む。
【００２０】
駆動装置は、被駆動要素４、とりわけカレンダーディスク４を駆動するための駆動モバイル１０を含む。駆動モバイルは、軸Ａ１周りに回転可能に搭載されることが意図される。モバイルは、
−  サポート１１と、
−  被駆動要素を駆動するための第１側面ｆ１１と、
−  駆動モバイルを後退させる作用を受けるように配置される第２側面ｆ１２’、とりわけ軸Ａ１に対して正放線状または実質的に正放線状に延長する第２後退側面ｆ１２’と
を含み、モバイルは第２側面をサポートに接続するスライドリンク１１１、１２１を含む。
【００２１】
有利には、スライドリンクは、軸Ａ１に対して半径方向に、または実質的に半径方向に向けられる。
【００２２】
被駆動要素は、駆動装置の一部を構成しない。
【００２３】
第１側面は、平面のまたは実質的に平面のまたは曲面の第１表面で作成されてもよい。第２側面は、平面のまたは実質的に平面のまたは曲面の第２表面で作成されてもよい。
【００２４】
第１側面は、軸Ａ１に対して半径方向に、または実質的に半径方向に延長してもよい。有利には、第１側面はまた、軸Ａ１に平行にまたは実質的に平行に延長する。好みにより、第１側面は、サポートに対して、軸Ａ１周りに角度的に固定または実質的に固定される。
【００２５】
第２側面は、モバイル−後退作用を受けるように、とりわけモバイルを後退させる機械的作用を受けるように配置され、当該作用はモバイル１０が被駆動要素と干渉する位置にあるときに被駆動要素により生じる。
【００２６】
好みにより、第２側面は、軸Ａ１に対して正放線状または実質的に正放線状に延長する。第２側面は、軸Ａ１に対して正放線状の方向から３０°より小さい角度を作るように、延長してもよい。有利には第２側面はまた、軸Ａ１に平行にまたは実質的に平行に延長する。
【００２７】
このため、装置は、第１駆動側面ｆ１１を含む剛性第１部材１１、とりわけサポートと、第２側面ｆ１２’を含む弾性第２部材１２とを含み、両者は互いに協働するよう設計される。好みにより、第２部材１２はまた、被駆動要素を停止させるよう設計される、第３停止側面ｆ１２を含む。有利には、当該実施形態は、駆動第１部材により、とりわけ駆動第１部材の第１側面ｆ１１により、カレンダーディスクの確実な駆動を可能にし、弾性第２部材により、とりわけ弾性第２部材１２の第２側面ｆ１２’により、何時でもカレンダーの修正を可能にする。更に、当該実施形態は、弾性第２部材１２により、とりわけ弾性部材１２の第３、停止、側面ｆ１２により、カレンダーディスクを確実に停止することを可能にする。有利には、駆動装置の当該構造は、小型であり実施が簡単であるという利点を有する。
【００２８】
当該第１実施形態において、駆動モバイル１０の剛性第１部材１１と弾性第２部材１２は、同一の平面に、または同じ高さＰ１に位置される。
【００２９】
この第１及び第２部材１１、１２は、両者とも、図示しないムーブメントのフレームの案内手段に対して、軸Ａ１周りに旋回される駆動部材１の一部を形成する。駆動部材は、駆動装置の一部を形成する。
【００３０】
ここで駆動部材１は、その少なくとも一部分が第１及び第２部材１１、１２を受けるよう設計される、管状ボスの形状を取る。剛性第１部材１１は、部材１と一体に形成されてもよい。この場合、軸Ａ１に沿って部材１から突起する素材の突出の形状、すなわち軸Ａ１の長手方向に延長する突起の形状を取る。当該突起はまた、とりわけ、軸Ａ１に対して半径方向または実質的に半径方向に延長する。
【００３１】
弾性第２部材１２は、部材１に連結される。弾性第２部材１２は、ばねなどの弾性戻し要素であり、その第１端部は頭部１２ａを有し、第２端部は部材１に、とりわけリベットを用いて、組み込まれまたは固着される、足部１２ｂを有する。このため、第１端部は、第２側面を示す。第２端部そのものは、サポートへの連結を示す。頭部１２ａと足部１２ｂとは、湾曲ばね１２ｃを形成する弾性部により接続される。頭部１２ａは、好ましくは剛性部材１１と接触する。好みにより、部材１１及び１２は、頭部１２ａが軸Ａ１に対して半径方向または実質的に半径方向に、（許容誤差程度はあるとして）運動の自由度が１度しかないように形成される。湾曲ばね１２ｃは、図１、２及び５から９に図示するように、第２部材１２と第２側面ｆ１２’とを静止位置に向けて戻す弾性戻し要素１２ｃを構成する。ばね１２ｃは、例えば、開放環の形状を有する。
【００３２】
例えば、第２側面をサポートに接続するスライドリンクは、第２側面を有する要素、とりわけ頭部１２ａに作成される第１面１２１及びサポート１１に作成される第２面１１１を含む。面１１１と１２１は好ましくは平面状である、及びまたは面１１１と１２１は好ましくは軸Ａ１に対して半径方向にまたは実質的に半径方向に延長する。有利には、面１１１と１２１はまた、軸Ａ１に対して平行にまたは実質的に平行に延長する。好みにより、弾性戻し要素、とりわけばね１２ｃは、面１１１及び１２１を互いに戻すような方法で、成形され及びまたは配置される。
【００３３】
第１実施形態において、第２側面は、弾性戻し要素の作用に対抗して、スライドリンクに従って、第１側面に対して動くことができる。
【００３４】
駆動部材１は、当該部材が少なくとも１角度ステップ分、月の日にちを表示するディスク４の歯列を瞬時に駆動可能なように、エネルギー蓄積器３と協働するカム２に、とりわけカレンダーカムに、固定される。ここで、当該歯列は、ジャンパー５のくちばし５１経由で角度的に割り出される。好みにより、サポート１１は、カレンダーカム２に固定される。
【００３５】
ここで、エネルギー蓄積器は、ばねとして作用するレバー部分３ａの影響によりカム２の側面に対して押圧されたローラー３１が設けられたレバー３からなり、日付変更中に、ジャンパー５が生成するトルクを克服可能にする。
【００３６】
モバイル１０は、日付ジャンプが真夜中に１日１回のみ実施されるよう、部材１周りに軸Ａ１周りに自由に旋回し、基本ムーブメントに、とりわけ図示しない筒車に接続される歯車６を含む。駆動部材１と歯車６との間の接続は、一方向接続装置７を介しており、その作用原理は、特許文献５に記載される。
【００３７】
当該装置７は、爪部材７１とばね７２とを含み、両者は部材１に打ち込まれる板７３上で旋回される。部材７１の一端に対して重みをかけるばね７２は、部材７１の反対端部を板７３の壁７３ａに対して維持する傾向にある。当該部材７１は、歯車６のディスクから突出するスタッド６ａを伴う障害により協働する歯車６により一方向駆動で駆動される。
【００３８】
当該装置７は、時計の輪列の（図示しない）筒車または筒歯車と噛み合う、２４時間歯車６を含む。２４時間歯車６と筒車とのギア比は、２４時間歯車６が２４時間で１回転するというものである。当該歯車は、時計のフレームに固定されたピボット上を旋回する能力を持って搭載された筒状ボス１の第１セグメント周りを自由に旋回する。
【００３９】
壁７３ａを含む円形窪みが、板７３に形成される。爪部材７１は、窪み内に、ピボットを用いて旋回搭載される。爪部材７１の一端に対して重みをかけるばね７２は、爪部材７１の反対端部を円形窪みの側壁に対して維持する傾向にある。爪部材７１は、２４時間歯車６と部材１に固定された板７３との間の一方向駆動部材として作用する。
【００４０】
筒状ボス１はまた、第１セグメントの直径より小さい直径の第２セグメントを含み、第１セグメント上に２４時間歯車６が旋回し、第２セグメントは２４時間歯車６の下に延長する。瞬時ジャンプカム２は、筒状ボス１の第２セグメント上に打ち込まれ、筒状ボス１の第２セグメント上に打ち込まれた板７３経由で、第１及び第２セグメント間に形成された支持表面に対して重みをかけることができる。
【００４１】
瞬時ジャンプカム２は、レバー３が有するローラー３１と噛合し、レバー３はばね３ａによりカム２に対して押圧される。カム２は、少なくとも１つの張力表面、１つの瞬時ジャンプ表面、及び１つの停止表面、とりわけ凹停止表面を含む。２つの張力表面と瞬時ジャンプ表面間の交点が、ばね３ａに押されたレバー３がローラー３１を当該交点から停止表面へ敏速に超えさせる正確な瞬間を決定する。
【００４２】
図１から４は、上述の特徴を詳細に図示する。理解しやすくするため、瞬時日付ジャンプの順序と、日付を素早く調整するフェーズとを示す図５から９は、歯車６も一方向接続装置７も図示しない。
【００４３】
一日中、歯車６はカム２を装置７経由で駆動し、部材１の瞬時ジャンプに必要なエネルギーを、とりわけ部材１の所定の角度範囲にわたる回転に必要なエネルギーを蓄積し、ローラー３１とカム２のプロファイル経由でばねの弾性部分３ａに張力をかける。（図４と図５に図示する）日付の変更直前において、ローラー３１は、カム２のプロファイルの実質的に頂点に位置する。（図６に図示する）日付の変更は、ばね部３ａが、レバー３とそのローラー３１を介してカム２と部材１へ急な回転運動を与えることで、蓄積されたエネルギーを放出するほんの一瞬で起こる。この要素１、２と歯車６との間の相対運動は、一方向接続装置７が提供する自由度により可能となる。
【００４４】
好みにより、剛性第１部材１１は、図６に示すように、有利にはカレンダー駆動爪を構成し、ディスク４の歯４ａと直接接触するよう設計された側面ｆ１１を含む。このため、第１部材の剛性により、駆動部材１はディスクの駆動中、不必要な変形を経験することなく、このためディスク４に対して、軸Ａ１に対して正放線のまたは実質的に正放線であって、その向きが歯４ａを基準として一定または実質的に一定である力Ｆを伝達する。この一連の動作中、弾性部材１２は、ディスクになんら影響も及ぼさない。
【００４５】
（図７に図示するように）日付ジャンプが起こると、ディスク４は歯４ａと並んで存在する歯４ｂを介して部材１により制動される。歯４ｂは、第２弾性部材１２の頭部１２ａの第３停止側面ｆ１２に対して当接し、また第２弾性部材１２は、軸Ａ１に対して正放線のまたは実質的に正放線の反力Ｆ’の影響により、剛性第１部材１１に対して当接するまたは当接可能である。この一連の動作中、弾性第２部材１２のばね１２ｃは、なんら影響を及ぼさない。このため、部材１は、要素１１及び１２ａがディスク４の歯列の中の２つの歯４ａ、４ｂの間に位置するディスク制動中、不必要な変形を経験しない。
【００４６】
このため、第３側面ｆ１２は、被駆動要素４を制動または停止させる制動側面または停止側面である。好みにより、当該第３側面は、軸Ａ１に対して半径方向にまたは実質的に半径方向に延長する。有利には、第３側面はまた、軸Ａ１に平行にまたは実質的に平行に延長する。第３側面は好ましくは、サポートに対して、軸Ａ１周りに角度的に固定されまたは実質的に固定される。
【００４７】
図７の構成において、第１部材１１と第２部材１２、とりわけ頭部１２ａは、ローラー３１をカム２プロファイルで定義される窪みに保持する、レバー３のばね部分３ａにより事前に規定され確立される力の影響により、その位置で保持される。
【００４８】
（図５に図示する）日付ジャンプ前に、部材１１、１２ａは、ディスク４の歯列の圏外にある。このため、時計回りまたは反時計回り方向であろうとも、例えば要求に応じて起動可能な補助修正機構の一部を形成する修正星車８を用いることで、ディスク４の歯列の作動により、日付の迅速な修正が可能となる。
【００４９】
日付ジャンプ後、部材１１、１２ａは、ローラー３１をカム２プロファイルで定義される窪みに保持するレバー３のばね部分３ａにより事前に規定され確立される力の影響により、歯列内に保持される。それにもかかわらず、要素１及び２を歯車６から離すことを可能にする一方向修正装置７のおかげで、図８に図示する時計回り方向の日付の迅速な修正が可能である。
【００５０】
ここで、第１部材１１は、図９に示すように、日付ジャンプが発生するとディスク４の歯列の圏外になるという態様で成形される及びまたは配置されるという特徴を有する。このため、ばね１２ｃを弾性変形する、側面ｆ１２’を押し戻す歯４ａの影響による頭部１２ａの後退のおかげで、図９に図示する反時計回り方向の日付の迅速修正が完全に可能になる。頭部１２ａの側面ｆ１２’への歯４ａの作用の力Ｆ”は、この場合、軸Ａ１に対して半径方向または実質的に半径方向である。頭部１２ａ及び頭部が構成する側面ｆ１２’は、図１、２及び５から９に示す残りの部分から離れている。当該構成において、頭部１２ａは、側面ｆ１２’のみが歯４ａの圏内にあるという態様で成形される及びまたは配置されるという特徴を有する。修正が達成されると、図１、２及び５から９に図示するように、湾曲したばね１２ｃが、第２部材１２及び第２側面ｆ１２’を静止位置に向かい弾性的に戻す。
【００５１】
このため、第２側面は、好ましくはモバイルの、具体的には第２部材の頭部１２ａを後退させる、後退側面である。
【００５２】
第１実施形態において、第１側面はサポートに対して固定される。
【００５３】
図１０から１２を参照して、以下に第２実施形態を説明する。当該第２実施形態は、第２側面が第１側面に固定される、すなわち第１及び第２側面が互いに固定される点で第１形態と異なる及びまたはスライドリンクが体現される方法で第１実施形態から異なる。
【００５４】
図１０に示す第２実施形態の第１代替形態において、スライドリンクは、第２側面を有する要素上に設けられる、とりわけ第２部材１２の頭部１２ａに設けられるスロット１２０と、サポート上に製造される、とりわけサポート内に組み込まれるピン１１と、を含む。スロットとピンは、両者が互いに協働してスライドリンクを形成するように配置され成形される。好みにより、スライドリンクは、その並進または実質的に並進運動の軸が、軸Ａ１に対して半径方向または実質的に半径方向となるよう配置される。動作において、スロットは、ピン周りにわずかに旋回することもある。しかしながら、当該旋回は完全に無視することができ、これは当該結合がスライドリンクと見做されることを意味する。必要があれば、ピンは旋回を制限するため、非円形、とりわけ平行六面体の形状に置き換えることができる。
【００５５】
このため、当該第１代替形態において、弾性第２部材の頭部１２ａは、カレンダー駆動爪を構成してもよい。ピン１１は、部材１の一体部分として形成されるポスト１１で代替可能である。カレンダーが動作中、スロット１２０の壁は、ピンまたはポストと当接するよう設計される。
【００５６】
スロットは、単一壁の切抜きとして限定されてもよい。
【００５７】
図１１及び１２に図示する第２実施形態の第２代替形態において、スライドリンクは、第２側面を有する要素上に形成されるピン１２０’、とりわけ第２部材１２の頭部１２ａに組み込まれるピンと、サポート上に製造されるスロット１１０とを含む。スロットとピンは、両者が互いに協働し、スライドリンクを形成するように配置され成形される。好みにより、スライドリンクは、その並進または実質的に並進運動の軸が、軸Ａ１に対して半径方向または実質的に半径方向となるよう配置される。動作において、スロットは、ピン周りにわずかに旋回することもある。しかしながら当該旋回は完全に無視することができ、これは当該結合がスライドリンクと見做されることを意味する。必要があれば、ピンは旋回を制限するため、非円形、とりわけ平行六面体の形状に置き換えることができる。
【００５８】
当該第２代替形態において、剛性第１部材１１と弾性第２部材１２は、２つの離れた平面または高さに配置される。これは、当該代替形態において、駆動爪とスライドリンクは、軸Ａ１に垂直で、異なる２つの平面上に形成されるためである。当該第２代替形態にかかるモバイル１０の動作の原理は、第１代替形態のそれと同様である。
【００５９】
当該代替形態において、弾性第２部材は、第１代替形態の弾性第２部材の形状と同様の形状を表してもよい。頭部１２ａの一体部分として形成されたポスト１２０’またはピン１２０’は、部材１１内に製造された切抜き１１０内で移動するよう、平面Ｐ２内で延長してもよい。切抜きは、好ましくは２つの別個の壁を有するスロットの形状を有し、これはカレンダーの動作の段階にかかわらず、端止めとして作用することを目的とする。もちろん、当該切抜きは、１つの壁のみを有するよう制限されてもよい。
【００６０】
どの実施形態においても、駆動部材１はまた、３１日よりも少ない日を有する月の末に、図示しない補助歯列を作動させることを意図する追加の駆動爪１３を含んでもよい。好みにより、当該爪１３は、部材１１または１２ａを含む駆動爪の高さまたは平面とは異なる高さまたは平面に配置される。
【００６１】
以上、駆動装置の実施形態をカレンダー要素の駆動へ適用した例について説明してきた。しかしながら、本発明にかかる駆動装置は、時間情報を、特に時に関する情報及びまたは分に関する情報をディスプレイまたは表示することを可能にするあらゆる種類の要素を駆動するために用いられてもよい。好みにより、時間情報のディスプレイまたは表示は、ジャンプ型のもの、特に瞬時ジャンプ型のものである。
【００６２】
従来技術から既知のものとは異なり、本発明にかかる解決策によると、弾性第２部材は、多かれ少なかれ瞬時である日付ジャンプを作動するためではなく、カレンダー調整段階中に駆動モバイルをカレンダー歯列から後退させるためにカレンダーディスクにより徐々に張力を受けることが意図される点で、とりわけ区別可能である。本発明にかかる解決策では、ジャンプの瞬間性自体は、好ましくはサポート１１に接続される、とりわけ一体として接続される、カム２により保証される。更に、弾性第２部材は、第１端部においてサポートに組み込まれ第２端部においてサポートに対してスライドリンクに搭載される点で、区別可能である。最後に、駆動爪は、その堅固性により、カレンダーディスクを可能な限り連続する方法で駆動可能にする。これは、瞬時ジャンプ中のカレンダーディスクのがたつきを防止することを可能にする。
【００６３】
実施形態がどれであれ、スライドリンクは、修正方向がどうであれ、動作可能である。
【００６４】
実施形態がどれであれ、第２側面ｆ１２’は、駆動モバイルを後退させる作用を受けるように独占的に配置される、すなわち第２側面と被駆動要素は、好ましくは被駆動要素が第２側面に独占的に及びまたは直接的に作用するように配置される。第１側面ｆ１１は、被駆動要素を駆動する作用を受けるように独占的に配置される、すなわち第１側面と被駆動要素は、好ましくは第１側面が、当該要素を駆動するために非駆動要素に独占的に及びまたは直接的に作用するように配置される。このため、第１側面と第２側面の機能は異なる。換言すれば、第１側面は、駆動モバイルを後退させるために用いられず、第２側面は、被駆動要素を駆動するために用いられない。
【００６５】
実施形態がどれであれ、第１及び第２側面は異なる。
【００６６】
本明細書において、「スライドリンク」は、「直動関節」または好ましくは１自由度しか許可しない機械的継ぎ手またはリンクを意味し、この自由度は、スライドリンクの軸に関して並進である。
【００６７】
本明細書において、「駆動モバイルを後退させる」は、好ましくは駆動モバイルの要素または一部を後退させる、とりわけ駆動モバイルの頭部１２ａを後退させることを意味する。
【符号の説明】
【００６８】
４        被駆動要素
１０      駆動モバイル
１１      サポート
１００    駆動装置
１１１，１２１  スライドリンク
２００    時計カレンダーシステム
Ａ１      軸
ｆ１１    第１側面
ｆ１２’  第２側面
【図１】
2019090796.tif 000003
【図２】
2019090796.tif 000004
【図３】
2019090796.tif 000005
【図４】
2019090796.tif 000006
【図５】
2019090796.tif 000007
【図６】
2019090796.tif 000008
【図７】
2019090796.tif 000009
【図８】
2019090796.tif 000010
【図９】
2019090796.tif 000011
【図１０】
2019090796.tif 000012
【図１１】
2019090796.tif 000013
【図１２】
2019090796.tif 000014
【外国語明細書】
2019090796000001.pdf
2019090796000002.pdf
2019090796000003.pdf
2019090796000004.pdf